Podtech/llm-jp-corpus-v4-ja_patent huggingface dataset:
【手続補正書】
【提出日】平成23年11月14日(2011.11.14)
【手続補正１】
【補正対象書類名】特許請求の範囲
【補正対象項目名】全文
【補正方法】変更
【補正の内容】
【特許請求の範囲】
【請求項１】
荷物の周りにバンド材料を供給してこれを位置決めし、張力を印加し、接合するバンド掛け機のための統合型バンドシュート開放装置付き迅速アクセスガイドにおいて、
前記バンド掛け機は、フレームと、該フレームに取付けられたバンドシュートとを有しており、
前記バンドシュートは、バンドシュートを介したバンド経路を画成するため、少なくとも１つの可動壁に協働する少なくとも１つの固定壁を備え、前記バンドシュートを介してバンド材料が運ばれ、かつ、バンドシュートからバンド材料が荷物上へと引かれ、
前記バンド掛け機は、バンド材料を前記バンドシュートへと運ぶバンドガイドを備えており、該バンドガイドは、バンドシュートの下側に配置され、固定部分と、該固定部分に接近離反可能で前記バンドガイドを開閉する可動部分とを備えており、
前記開放装置は、
前記バンドシュートの可動壁に取付けられたカム面と、
前記バンドガイドの可動部分に動作可能に連結されたハンドルと、
前記ハンドルとバンドガイドの可動部分に動作可能に取付けられ、カム要素が設けられたカムプレートと、
前記バンドガイドの可動部分に取付けられ、前記カムプレートに係合可能なガイドピンとを具備し、
前記ハンドルは、カムプレート要素が前記カム面との係合が解除され、前記バンドガイドが閉じられかつ前記バンドシュートも閉じられるような第１の位置から、前記カム要素がカム面と係合して前記バンドシュートの可動壁をバンドシュートの固定壁から離反させるような第２の位置へ、さらにカム要素が前記カム面との係合状態が維持されかつカムプレートが前記ガイドピンと係合して前記バンドガイドを動かし、これを開放するような第３の位置へと移動可能であることを特徴とする迅速アクセスガイド。
【請求項２】
前記ハンドルが前記第１の位置、第２の位置、および前記第３の位置を通り、連続して可動である請求項１に記載の開放装置。
【請求項３】
前記ガイドピンは前記カムプレートの長穴状の開口部内に配置され、可動ガイドを開放位置に移動させるために前記ガイドピンは前記長穴状の開口部の端部に係合する請求項１に記載の開放装置。
【請求項４】
前記カムプレートがハンドルの回動軸周りで回転可能である請求項１に記載の開放装置。
【請求項５】
前記ガイドピンは、前記長穴状の開口部を通って延びるボルトであって、更に前記カムプレートへの摩擦力を保持するための付勢要素を備える請求項３に記載の開放装置。
【請求項６】
前記付勢要素はバネである請求項５に記載の開放装置。
【請求項７】
前記バネはバネ座金である請求項６に記載の開放装置。
【請求項８】
カム要素はローラーカムである請求項１に記載の開放装置。
【請求項９】
前記カムプレートが第２のカム要素を更に具備する請求項１に記載の開放装置。
【請求項１０】
前記２個のカム要素はローラーカムである請求項９に記載の開放装置。
【請求項１１】
前記カム要素は傾斜面である請求項１に記載の開放装置。
【請求項１２】
前記カム要素は前記カムプレートに埋め込まれたピンである請求項１に記載の開放装置。
【請求項１３】
前記傾斜面は前記カムプレートの端縁部に沿って延びる請求項１１に記載の開放装置。
【請求項１４】
荷物の周りにバンド材料を供給してこれを位置決めし、更に引張り、荷物の周りにバンド材料を閉じるタイプのバンド掛け機において、
フレームと、
前記フレームに取付けられたバンドシュートであって、バンドシュートを介したバンド経路を画成するため、少なくとも１つの可動壁に協働する少なくとも１つの固定壁を備え、前記バンドシュートを介してバンド材料が運ばれ、かつ、バンドシュートからバンド材料が荷物上へと引かれ、前記バンドシュートの可動壁にカム面が取付けられて成るバンドシュートと、
バンドシュートの下側に配置され、バンド材料を前記バンドシュートへと運ぶバンドガイドであって、固定部分と、該固定部分に対し接近、離反してバンドガイドを開閉する可動部分とを有する前記バンドガイドと、
迅速アクセスガイドであって、前記バンドガイドの可動部分に動作可能に連結されたハンドルと、前記ハンドルとバンドガイドの可動部分に動作可能に取付けられ、カム要素が設けられたカムプレートと、前記バンドガイドの可動部分に取付けられ前記カムプレートに係合可能なガイドピンとを含み、前記ハンドルは、前記カムプレート要素が前記カム面との係合が解除され、前記バンドガイドが閉じられかつ前記バンドシュートも閉じられるような第１の位置から、前記カム要素がカム面と係合して前記バンドシュートの可動壁をバンドシュートの固定壁から離反させるような第２の位置へ、さらにカム要素が前記カム面との係合状態が維持され、かつ、カムプレートが前記ガイドピンと係合して前記バンドガイドを直立位置へ移動させてバンドガイドを開放するような第３の位置へと移動可能であるような統合型バンドシュート開放装置付き迅速アクセスガイドとを具備することを特徴とするバンド掛け機。
【請求項１５】
前記ハンドルが前記第１の位置、第２の位置、および前記第３の位置を通り、連続して可動である請求項１４に記載のバンド掛け機。
【請求項１６】
前記ガイドピンは前記カムプレートの長穴状の開口部内に配置され、可動ガイドを開放位置に移動させるために前記ガイドピンは前記長穴状の開口部の端部に係合する請求項１４に記載のバンド掛け機。
【請求項１７】
前記ガイドピンは、前記長穴状の開口部を通って延びるボルトであって、更に前記カムプレートへの摩擦力を保持するため、前記ボルトとカムプレートの間に配置されたバネ座金を備える請求項１６に記載のバンド掛け機。
【請求項１８】
カム要素はローラーカムである請求項１４に記載のバンド掛け機。
【請求項１９】
前記カムプレートが第２のカム要素を備える請求項１４に記載のバンド掛け機。
【請求項２０】
前記カム要素は前記カムプレートに埋め込まれた固定ピンである請求項１４に記載のバンド掛け機。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
パネルとパネルに接続されたタブとが設けられた本体を含み、タブは、前方タブ部と、把持し傾斜させることにより、前方タブ部を用いてパネルにパネル切目線に沿う開口部を形成するための後方タブ部とを有し、タブは構造的接続要素を介してパネルに接続され、タブは、タブ−パネル接続部の変形により傾斜位置にあり、変形は構造的接続要素にある、缶。
【請求項２】
変形は、タブ−パネル接続部のタブ部にある、請求項１に記載の缶。
【請求項３】
変形は、タブ−パネル接続部のパネル部にある、請求項１または２に記載の缶。
【請求項４】
構造的接続要素は、パネルの一体部分である、請求項１〜３のいずれかに記載の缶。
【請求項５】
構造的接続要素は、リベットなどの別個の構造的接続要素である、請求項１〜３のいずれかに記載の缶。
【請求項６】
後方タブ部は缶の範囲内にある、請求項１〜５のいずれかに記載の缶。
【請求項７】
後方タブ部は凹んだパネル部の上方にある、請求項１〜６のいずれかに記載の缶。
【請求項８】
変形は、少なくとも部分的に塑性変形を含む、請求項１〜７のいずれかに記載の缶。
【請求項９】
請求項１〜８のいずれかに定義されたような缶用のパネル。
【請求項１０】
請求項９に記載のパネル、または請求項１〜８のいずれかに記載の缶を作るための方法であって、
（ｉ）パネルに構造的接続要素を介してタブを接続するステップと、
（ii）タブを傾斜させ、それにより、タブが傾斜位置に留まるようタブ−パネル接続部を変形させ、変形は構造的接続要素にあるステップとを含む、方法。
【請求項１１】
傾斜させるステップii）は、引っ掛け、てこ作用、および／または螺旋回転により行なわれる、請求項１０に記載の方法。
【請求項１２】
傾斜させるステップii）は、接着剤引張または磁気引張により行なわれる、請求項１０または１１に記載の方法。
【請求項１３】
請求項１０〜１２のいずれかに記載の方法により得ることができる、パネルまたは缶。
【手続補正書】
【提出日】平成23年12月19日(2011.12.19)
【手続補正１】
【補正対象書類名】特許請求の範囲
【補正対象項目名】全文
【補正方法】変更
【補正の内容】
【特許請求の範囲】
【請求項１】
多層フィルムであって、
第２主表面とは反対側の第１主表面及びコア層厚を有する粘弾性コア層と、
前記コア層の第１主表面に接合された第１薄層厚の第１弾性薄層と、を含む、多層フィルム。
【請求項２】
前記コア層の前記第２主表面に接合された第２薄層厚の第２弾性薄層を更に含む、請求項１に記載の多層フィルム。
【請求項３】
前記第１薄層厚に対する前記コア層厚の第１の比と、前記第２表面薄層厚に対する前記コア層厚の第２の比とがそれぞれ５以下である、請求項２に記載の多層フィルム。
【請求項４】
前記第１の比と前記第２の比とがいずれも、少なくとも０．２である、請求項２又は３に記載の多層フィルム。
【請求項５】
前記フィルムが、改正ＡＳＴＭ  Ｅ３３１散水ブース試験に基づく釘合格率８０％で表されるようなセルフシールである、請求項１〜３のいずれか一項に記載の多層フィルム。
【請求項６】
表面のシール方法であって、
（ｉ）請求項１〜３のいずれか一項に記載の多層フィルムを提供する工程と、
（ｉｉ）前記多層フィルムを前記表面に接着する工程と、を含む、方法。
【手続補正書】
【提出日】平成23年11月22日(2011.11.22)
【手続補正１】
【補正対象書類名】特許請求の範囲
【補正対象項目名】全文
【補正方法】変更
【補正の内容】
【特許請求の範囲】
【請求項１】
補強接着テープに組み合わせで使用されるのに適合した柔軟な強化物品であって、前記強化物品が、対になる第１及び第２の主表面を有し、支持層材料がポリオレフィン・エラストマー、ポリプロピレン・エラストマー、ポリビニル・エラストマー、ポリウレタン・エラストマー、及びそれらの混合物からなる群から選択されるエラストマー高分子支持層と、前記第１及び前記第２の主表面のうち少なくとも一方に沿っており、補強材料層が補強スクリム材料から製造されるエラストマー高分子補強材料層と、を含み、前記強化物品の前記支持層及び前記補強材料層が、ほぼ少なくとも約２５〜６０％の破断点伸張と、約１７Ｎ／ｃｍ（１０ポンド／インチ）の破断点引張強度を呈する、強化物品。
【請求項２】
補強テープを形成するために前記補強材料層に対して略被覆する関係で配置された接着層を更に含む、請求項１に記載の強化物品。
【請求項３】
前記強化物品の前記引張強度が、手裂き性能で約３５〜７０Ｎ／ｃｍ（２０〜４０ポンド／インチ）である、請求項１に記載の強化物品。
【請求項４】
更に、前記支持層が、約３００〜５００％の破断点伸張を呈する、請求項１に記載の強化物品。
【請求項５】
前記支持層が、０．００２ｃｍ〜約０．０１８ｃｍ（約１．０ミル〜約７．０ミル）の厚さを有する、請求項１に記載の強化物品。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
複合ファイバー補強体積可圧縮性重合体から成る内側及び外側面を有する中空円筒形ベースを備える可圧縮性印刷スリーブ担体であって、
前記ベースの前記内側面に近い第一部分は、前記可圧縮性重合体で覆われた連続巻回補強フィラメントを含んでおり、前記ベースの前記外側面に近い第二部分は、補強フィラメントのない可圧縮性重合体を備えていることを特徴とする可圧縮性印刷スリーブ担体。
【請求項２】
前記体積可圧縮性重合体は、微小球、発泡剤、又はそれらの混合から選択された空洞生成材料を含んでいることを特徴とする請求項１に記載の可圧縮性印刷スリーブ担体。
【請求項３】
前記連続巻回フィラメントは、ファイバーグラス、カーボンファイバー、金属ファイバー、及びアラミドファイバーの中から選択されることを特徴とする請求項１に記載の可圧縮性印刷スリーブ担体。
【請求項４】
前記連続巻回フィラメントは、コードであることを特徴とする請求項１に記載の可圧縮性印刷スリーブ担体。
【請求項５】
前記可圧縮性重合体は、ウレタン、ビニルエステル、ポリエステル、エポキシ、及びナイロンの中から選択されることを特徴とする請求項１に記載の可圧縮性印刷スリーブ担体。
【請求項６】
前記連続巻回補強フィラメントは、更に、無空洞重合体で被膜されていることを特徴とする請求項１に記載の可圧縮性印刷スリーブ担体。
【請求項７】
内側及び外側面を有する中空円筒形ベースを備える可圧縮性印刷スリーブ担体であって、
前記ベースの前記内側面に近い第一部分は、無空洞重合体で被膜された連続巻回補強フィラメントの第一層と、体積可圧縮性重合体で覆われた前記連続巻回補強フィラメントから成る前記第一層上の第二層と、を備えることを特徴とする可圧縮性印刷スリーブ担体。
【請求項８】
前記ベースの前記第一部分は、無空洞重合体の層と、体積可圧縮性重合体の第二の被膜とで覆われた、連続巻回補強フィラメントの複数の層から成ることを特徴とする請求項７に記載の可圧縮性印刷スリーブ担体。
【請求項９】
約４．５乃至３１．７５ｋｇ／ｃｍのコンプライアンスを有する請求項１に記載の可圧縮性印刷スリーブ担体。
【請求項１０】
心棒を用意し、
連続補強フィラメントの源を用意し、
前記フィラメントを体積可圧縮性重合体で被膜し、
被膜された前記補強フィラメントを、張力のもとで、前記心棒の周りに巻き付けて、内側及び外側面を有する中空円筒形ベースを備える担体を単一の通過処理で形成するという可圧縮性印刷スリーブ担体の製造方法であって、
前記ベースの前記内側面に近い第一部分は、前記可圧縮性重合体で被膜された連続巻回補強フィラメントを含み、前記ベースの前記外側面に近い第二部分は、補強フィラメントのない可圧縮性重合体を含むように、前記可圧縮性重合体は、前記フィラメントの上を流れることを特徴とする可圧縮性印刷スリーブ担体の製造方法。
【請求項１１】
前記印刷スリーブ担体を硬化させることを特徴とする請求項１０に記載の方法。
【請求項１２】
硬化は、前記可圧縮性重合体を硬化するように、前記印刷スリーブ担体を、ＵＶ放射、化学薬品、又は熱を備える硬化源に晒すことにより始まることを特徴とする請求項１１に記載の方法。
【請求項１３】
前記補強フィラメントを前記可圧縮性重合体で覆う前に、前記補強フィラメントを無空洞重合体で被膜して湿らせることを特徴とする請求項１０に記載の方法。
【請求項１４】
心棒を用意し、
連続補強フィラメントの源を用意し、
前記連続フィラメントを無空洞重合体で被膜し、
前記連続フィラメントを体積可圧縮性重合体で被膜し、被膜された前記補強フィラメントを、張力のもとで、前記心棒に巻き付けることにより、無空洞重合体で被膜された連続巻回補強フィラメントの第一層と、体積可圧縮性重合体で被膜された連続巻回補強フィラメントから成る、前記第一層の上の第二層とを形成することを特徴とする可圧縮性印刷スリーブ担体の製造方法。
【請求項１５】
前記連続フィラメントを前記体積可圧縮性重合体で被膜する前に、前記無空洞重合体の被膜を部分的に硬化させることを特徴とする請求項１４に記載の方法。
【手続補正書】
【提出日】平成23年12月26日(2011.12.26)
【手続補正１】
【補正対象書類名】特許請求の範囲
【補正対象項目名】全文
【補正方法】変更
【補正の内容】
【特許請求の範囲】
【請求項１】
３次元網状組織を含むポリマー層と、
パッド表面全域で圧力を等化する能力を有し、第１の接着剤を含み、１〜５０ｐｓｉの圧力で圧縮した場合に複合材料が１〜５００ｐｓｉの静水圧係数を示す複合材料層と、
を含む研磨パッド。
【請求項２】
前記３次元網状構造が少なくとも部分的に多孔質である、請求項１に記載の研磨パッド。
【請求項３】
前記第１の接着剤がアクリル系接着剤である、請求項１又は２に記載の研磨パッド。
【請求項４】
前記ポリマー層が第１の硬度Ｈ1を有する結合剤材料を含み、前記３次元網状構造が第２の硬度Ｈ2を示し、Ｈ1＞Ｈ2である、請求項１〜３のいずれか１項に記載の研磨パッド。
【請求項５】
前記複合材料層が、第１の面および第２の面を含むシート、前記シートの前記第１の面上に配置された前記第１の接着剤の第１層および前記シートの前記第２の面上に配置された第２の接着剤の第２層を含んでいる、請求項１〜４のいずれか１項に記載の研磨パッド。
【請求項６】
前記第１の接着剤が第１の１８０度剥離強度ＰＳ1を示し、前記第２の接着剤が第２の１８０度剥離強度ＰＳ2を示し、ＰＳ1＞ＰＳ2である、請求項５に記載の研磨パッド。
【請求項７】
前記第１の接着剤がアクリル系接着剤であり、前記第２の接着剤がジエンタイプのポリマーであり、前記第１の接着剤が前記ポリマー層に貼付けられている、請求項５又は６に記載の研磨パッド。
【請求項８】
研磨パッドを工具に貼付する方法において、３次元網状組織を含むポリマー層と、パッド表面全域で圧力を等化する能力を有し、第１の接着剤を含み、１〜５０ｐｓｉの圧力で圧縮した場合に複合材料が１〜５００ｐｓｉの静水圧係数を示す複合材料層と、を含む研磨パッドを工具に接着させるステップを含む方法。
【請求項９】
前記第１の接着剤がアクリル系接着剤である、請求項８に記載の方法。
【請求項１０】
前記ポリマー層が第１の硬度Ｈ1を有する結合剤材料を含み、前記３次元網状構造が第２の硬度Ｈ2を示し、Ｈ1＞Ｈ2である、請求項８又は９に記載の方法。
【請求項１１】
前記複合材料層が、第１の面および第２の面を含むシート、前記シートの前記第１の面上に配置された前記第１の接着剤の第１層および前記シートの前記第２の面上に配置された第２の接着剤の第２層を含んでいる、請求項８〜１０のいずれか１項に記載の方法。
【請求項１２】
前記第１の接着剤が第１の１８０度剥離強度ＰＳ1を示し、前記第２の接着剤が第２の１８０度剥離強度ＰＳ2を示し、ＰＳ1＞ＰＳ2である、請求項１１に記載の方法。
【請求項１３】
前記第１の接着剤がアクリル系接着剤であり、前記第２の接着剤がジエンタイプのポリマーである、請求項１１又は１２に記載の方法。
【請求項１４】
３次元網状組織を内部に有するポリマー層を提供するステップと、
パッド表面全域で圧力を等化する能力を有し、第１の接着剤を含み、１〜５０ｐｓｉの圧力で圧縮した場合に複合材料が１〜５００ｐｓｉの静水圧係数を示す複合材料層を前記ポリマー層に接着させるステップと、
を含む研磨パッドを形成する方法。
【請求項１５】
前記第１の接着剤がアクリル系接着剤である、請求項１４に記載の方法。
【請求項１６】
前記ポリマー層が、第１の硬度Ｈ1を有する結合剤材料を含み、前記３次元網状構造が第２の硬度Ｈ2を示し、Ｈ1＞Ｈ2である、請求項１４又は１５に記載の方法。
【請求項１７】
前記複合材料層が、第１の面および第２の面を有するシート、前記シートの前記第１の面上に配置された前記第１の接着剤の第１層および前記シートの前記第２の面上に配置された第２の接着剤の第２層をさらに含んでいる、請求項１４〜１６のいずれか１項に記載の方法。
【請求項１８】
前記第１の接着剤が第１の１８０度剥離強度ＰＳ1を示し、前記第２の接着剤が第２の１８０度剥離強度ＰＳ2を示し、ＰＳ1＞ＰＳ2である、請求項１７に記載の方法。
【請求項１９】
前記第１の接着剤がアクリル系接着剤であり、前記第２の接着剤がジエンタイプのポリマーである、請求項１７又は１８に記載の方法。
【手続補正書】
【提出日】平成23年11月18日(2011.11.18)
【手続補正１】
【補正対象書類名】特許請求の範囲
【補正対象項目名】全文
【補正方法】変更
【補正の内容】
【特許請求の範囲】
【請求項１】
２つ又はそれよりも多くの接続されたパック（４、６）を含む容器（２）であって、
１つ又はそれよりも多くの積層ブランク材で形成され、箱部（８）と該箱部（８）にヒンジ止めされた蓋（１０）とを含む第１のパック（４）と、
１つ又はそれよりも多くの積層ブランク材で形成され、かつ箱部（１４）と、第２のパック（６）の後壁にわたって延びるヒンジ線に沿って該箱部（１４）に接続された蓋（１６）とを含む第２のヒンジ蓋パック（６）と、
を含み、
前記第１のパックを形成するための前記積層ブランク材は、前記第２のパックを形成するための前記積層ブランク材とは別のものであり、前記蓋（１６）の前記前壁は、該第２のパック（６）が閉じた位置にある時にその該前壁が前記第１のパック（４）の前記第１の壁に対抗して位置するように、該第１のパック（４）の該第１の壁の底面に固定される、
ことを特徴とする容器（２）。
【請求項２】
前記第２のパック（６）の前記蓋（１６）の前記前壁は、前記第１のパックの前記箱部（８）の前壁に固定されることを特徴とする請求項１に記載の容器（２）。
【請求項３】
前記第１のパックは、前記第２のパックが閉じた位置にある時に該第２のパックの上で閉じる蓋を含むことを特徴とする請求項２に記載の容器。
【請求項４】
前記第１のパック（４）及び前記第２のパック（６）は、異なる寸法のものであることを特徴とする請求項１から請求項３のいずれか１項に記載の容器（２）。
【請求項５】
箱部と、第３のパックの後壁にわたって延びるヒンジ線に沿って該箱部に接続された蓋とを含む第３のヒンジ蓋パックを更に含み、
前記第３のパックの蓋の壁が、前記第２のパックの前記前壁に固定される、
ことを特徴とする請求項１から請求項４のいずれか１項に記載の容器。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
ターゲット領域に対する高密度集束超音波（HIFU）ビームの施与を容易にするためのシステムであって、当該システムは
a.  HIFUが可能なトランスデューサと、
b.  診断用の撮像プローブと、
c.  前記トランスデューサ及び当該プローブと通信するプロセッサと、
を有し、
当該診断用の前記プローブは、前記ターゲット領域の第1のセットの撮像データを取得し、
前記トランスデューサは、低パワーの超音波を用いて、前記ターゲット領域に対して照射力を誘起し、
前記診断用の撮像プローブは、前記照射力が誘起された後、前記ターゲット領域に対して第2のセットの撮像データを取得するよう適応され、
前記プロセッサは、前記ターゲット領域に対する前記トランスデューサの焦点位置を決定するために、第1のセットの撮像データと第2のセットの撮像データとを比較する、システム。
【請求項２】
前記プロセッサ、前記トランスデューサ及び前記診断用の撮像プローブが、（ｉ）前記ターゲット領域の所望の治療部位を動的に決定し、ここで前記動的に決定することが、3Dドップラー超音波ベースの技術を使用して治療部位を検出及び場所特性することを含み、（ｉｉ）HIFUビーム治療が、動的に自動修正するシステムの生成を始める及び再開する前に、前記HIFUビーム治療の追尾及び誘導を周期的に繰り返し、ここで前記追尾及び誘導が、前記トランスデューサを再設定し、再集束させるのに適用される、請求項１に記載のシステム。
【請求項３】
前記プロセッサが、前記トランスデューサの向き及び焦点を調節し、前記トランスデューサの新しい焦点位置の前記調節された向き及び焦点が、前記ターゲット領域の前記所望の動的に決定された治療部位にマッチする、請求項２に記載のシステム。
【請求項４】
前記トランスデューサが、止血を治療するよう適応されている、請求項３に記載のシステム。
【請求項５】
前記所望の治療部位を決定するのに使用される3Dドップラー超音波ベースの技術が、出血検知及び部位特定（BD＆L）技術を有する、請求項３に記載のシステム。
【請求項６】
前記第1のセットの撮像データ及び第2のセットの撮像データが、第1の追尾パルス及び第2の追尾パルスからの後方散乱を検出することによって取得される、請求項１に記載のシステム。
【請求項７】
前記プロセッサが、相互相関技術及び時間遅延推定技術を用いて、前記検出後方散乱を分析することによって前記焦点位置を決定する、請求項１に記載のシステム。
【請求項８】
前記プロセッサが、最大変位を呈する前記ターゲット試料の前記領域として前記焦点位置を決定する、請求項１に記載のシステム。
【請求項９】
前記トランスデューサが、前記ターゲット領域を高パワーの超音波で治療するよう更に適応されている、請求項１に記載のシステム。
【請求項１０】
ターゲット領域に対して、高密度集束超音波（HIFU）ビームの実施を容易にする方法であって、当該方法は、
a.    第1のセットの撮像データに対する前記ターゲット領域をプロービングするステップと、
b.    HIFUが可能なトランスデューサからの低パワーの超音波を使用して、前記ターゲット領域に対して、照射力を誘起するステップと、
c.    第2のセットの撮像データに対する前記ターゲット領域をプロービングするステップと、
d.    前記ターゲット領域に対する前記トランスデューサの焦点位置を決定するために、第1のセットの撮像データ及び第2のセットの撮像データを比較するステップと、
e.    前記ターゲット領域を、前記トランスデューサからの高出力の超音波で治療するステップと、
を含む、方法。
【請求項１１】
前記方法が、（ｉ）（ａ）HIFUが可能なトランスデューサ、（ｂ）診断用の撮像プローブ及び（ｃ）プロセッサにより、前記ターゲット領域の所望の治療部位を動的に決定するステップであって、前記動的に決定することが、3Dドップラー超音波ベースの技術を使用して治療部位を検出及び場所特性することを含む、当該決定するステップと、（ｉｉ）HIFUビーム治療が、動的に自動修正するシステムの生成を始める及び再開する前に、前記HIFUビーム治療の追尾及び誘導を周期的に繰り返すステップであって、前記追尾及び誘導が、前記トランスデューサを再設定し、再集束させるのに適用される、当該繰り返すステップとを有し、
前記方法が、前記プロセッサにより、前記トランスデューサの向き及び焦点を調節するステップであって、前記トランスデューサの新しい焦点位置の前記調節された向き及び焦点が、前記ターゲット領域の前記所望の動的に決定された治療部位にマッチする、当該調節するステップを有する、請求項１０に記載の方法。
【請求項１２】
前記トランスデューサが、止血を治療するために用いられる、請求項１１に記載の方法。
【請求項１３】
前記3Dドップラー超音波ベースの技術が、出血検知技術及び部位特定（BD＆L）技術を含む、請求項１１に記載の方法。
【請求項１４】
治療が最早必要とされなくなるまで、前記動的に決定するステップ、前記周期的に繰り返すステップ、前記プロービングするステップ、前記誘起するステップ及び前記プロービングするステップが繰り返される、請求項１１に記載の方法。
【請求項１５】
BD＆L技術が、治療を最早必要としなくなる時を決定するために用いられる、請求項１４に記載の方法。
【手続補正書】
【提出日】平成23年12月14日(2011.12.14)
【手続補正１】
【補正対象書類名】特許請求の範囲
【補正対象項目名】全文
【補正方法】変更
【補正の内容】
【特許請求の範囲】
【請求項１】
患者の胸部に圧迫力を加える加力装置と、
前記圧迫力の各々に対応する前記胸部の変位を測定する測定装置と、
前記圧迫力の各々に対応する前記胸部の前記変位に基づいて前記胸部の特性を決定する制御装置と、
を有するシステム。
【請求項２】
前記制御装置が、前記特性に基づいて最適な変位を達成する最適な圧迫力を決定する、請求項１に記載のシステム。
【請求項３】
前記制御装置が、前記胸部に前記最適な圧迫力を加えるように前記加力装置に命令する、請求項２に記載のシステム。
【請求項４】
前記測定装置が、前記最適な圧迫力に対応する他の変位を測定し、前記制御装置が、前記他の変位が閾値を超過するかどうかを決定する、請求項３に記載のシステム。
【請求項５】
前記他の変位が前記閾値を超過する場合に、前記制御装置が、前記胸部の他の特性を計算する、請求項４に記載のシステム。
【請求項６】
前記最適な圧迫力が、３．８ないし５センチメートルの最適な変位に対応する、請求項２に記載のシステム。
【請求項７】
前記特性が、前記胸部のばね係数及び前記胸部の減衰係数を含む、請求項１に記載のシステム。
【請求項８】
前記測定装置が、加速器、ポテンショメータ、光測定コンポーネント、ＬＶＤＴ装置、反射光、１以上の角度センサ、１以上の磁気センサ、及びモータの回転数を測定する装置の１つである、請求項１に記載のシステム。
【請求項９】
前記加力装置が、ピストン及び圧迫ベルトの一方を含む、請求項１に記載のシステム。
【請求項１０】
前記制御装置が、前記他の特性に基づいて最適な変位を達成する最適な圧迫力を決定する、請求項５に記載のシステム。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
細胞培養物中で弱毒化した水疱性口内炎ウイルス（ＶＳＶ）を産生する方法であって、  ウイルス救助細胞を、弱毒化したＶＳＶのゲノムまたはアンチゲノムをコードしているポリヌクレオチドを含むウイルスｃＤＮＡ発現ベクター、１つまたは複数の支持プラスミドに含まれるＶＳＶのＮ、Ｐ、ＬおよびＧタンパク質をコードしている核酸、ならびにＤＮＡ依存性ＲＮＡポリメラーゼをコードしているプラスミドで形質転換すること、  形質移入したウイルス救助細胞を培養で成長させること、  弱毒化したＶＳＶを形質転換したウイルス救助細胞の培養物から救済することと、  ＲＮＡあるいはコドンを最適化した核酸配列によってコードされるＶＳＶ  Ｇタンパク質を発現するプラーク拡大細胞を、救済された弱毒化したＶＳＶで感染させること、ここで、当該最適化した核酸配列は、天然のＧタンパク質オープンリーディングフレームと比較して増加した量のＶＳＶ  Ｇタンパク質の発現をもたらす、改変されたＶＳＶ  Ｇタンパク質のコード配列であり、  感染したプラーク拡大細胞を培養で成長させること、  弱毒化したＶＳＶを感染したプラーク拡大細胞の培養物から回収することとを含む方法。
【請求項２】
ウイルス救助細胞を、支持プラスミドに含まれるＶＳＶのＭタンパク質をコードしている核酸でさらに形質転換する、請求項１に記載の方法。
【請求項３】
弱毒化したＶＳＶが繁殖欠損ＶＳＶである、請求項１に記載の方法。
【請求項４】
ＤＮＡ依存性ＲＮＡポリメラーゼがＴ７  ＲＮＡポリメラーゼであり、ウイルスｃＤＮＡ発現ベクターおよび支持プラスミドがＴ７プロモーターの制御下にある、請求項１に記載の方法。
【請求項５】
ゲノムの長さのＲＮＡが、弱毒化したＶＳＶのゲノムまたはアンチゲノムをコードしているポリヌクレオチドから転写される、請求項１に記載の方法。
【請求項６】
最適化した核酸配列からのＶＳＶ  Ｇタンパク質の発現が、サイトメガロウイルスに由来するＲＮＡポリメラーゼＩＩプロモーターの制御下にある、請求項１に記載の方法。
【請求項７】
最適化した核酸配列からのＶＳＶ  Ｇタンパク質の発現が、機能的なｍＲＮＡを産生するＲＮＡポリメラーゼＩＩによって認識される転写単位の制御下にある、請求項１に記載の方法。
【請求項８】
最適化した核酸配列が、インディアナ血清型またはニュージャージー血清型に由来する、請求項１に記載の方法。
【請求項９】
ウイルス救助細胞が電気穿孔によって形質転換される、請求項１に記載の方法。
【請求項１０】
弱毒化したＶＳＶが異種抗原をコードしている、請求項１に記載の方法。
【請求項１１】
最適化した核酸配列が、配列番号３、配列番号４および配列番号５からなる群から選択される、請求項１に記載の方法。
【請求項１２】
弱毒化したＶＳＶがＶＳＶ  Ｇタンパク質を欠く（ＶＳＶ−ΔＧ）、請求項１に記載の方法。
【請求項１３】
弱毒化したＶＳＶの収量が、約１×１０６ＩＵ／培養物１ｍｌを超える、請求項１２に記載の方法。
【請求項１４】
弱毒化したＶＳＶが、切断された細胞外ドメインを有するＧタンパク質を発現する（ＶＳＶ−Ｇｓｔｅｍ）、請求項１に記載の方法。
【請求項１５】
弱毒化したＶＳＶの収量が、約１×１０６ＩＵ／培養物１ｍｌを超える、請求項１４に記載の方法。
【請求項１６】
繁殖欠損水疱性口内炎ウイルス（ＶＳＶ）のパッケージングを改善する方法であって、  ａ）ＲＮＡあるいはコドンを最適化したＶＳＶ  Ｇ遺伝子をコードしている核酸配列を含むプラスミドベクターを細胞内に導入すること、ここで、当該最適化した核酸配列は、天然のＧタンパク質オープンリーディングフレームと比較して増加した量のＶＳＶ  Ｇタンパク質の発現をもたらす、改変されたＶＳＶ  Ｇタンパク質のコード配列であり、  ｂ）最適化した核酸配列からＶＳＶ  Ｇタンパク質を一過的に発現させること、  ｃ）繁殖欠損ＶＳＶを、ＶＳＶ  Ｇタンパク質を一過的に発現する細胞内に導入すること、  ｄ）繁殖欠損ＶＳＶを含む細胞を培養で成長させること、  ｅ）パッケージングされたＶＳＶを培養物から回収することとを含む方法。
【手続補正２】
【補正対象書類名】図面
【補正対象項目名】図１
【補正方法】変更
【補正の内容】
【図１】
2011507515.tif 000001
【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
配列番号２又は配列番号４のアミノ酸配列を含む単離ポリペプチド。
【請求項２】
非修飾分子と比較して修飾分子の生物学的特性に有意な影響を及ぼさずに１つ以上のアミノ酸残基が付加、欠失又は置換された配列番号２又は配列番号４のアミノ酸配列を含む単離ポリペプチド。
【請求項３】
少なくとも８アミノ酸残基を含む配列番号２の連続配列を一部含み、該連続配列は前記配列番号２の連続配列として含まれる単離ポリペプチド。
【請求項４】
配列番号２と比較して単離ポリペプチドの生物学的特性に有意な影響を及ぼさずに、配列番号２の、少なくとも２０のアミノ酸残基を含む請求項３に記載の単離ポリペプチド。
【請求項５】
配列番号７又は配列番号８を含む請求項３又は４のいずれかに記載の単離ポリペプチド。
【請求項６】
保存的置換によって別のアミノ酸残基で各々最大３残基置換された配列番号２又は配列番号４の修飾配列を含む、請求項２に記載の単離ポリペプチド。
【請求項７】
請求項１に記載の単離ポリペプチドをコードする配列を含む単離核酸分子。
【請求項８】
遺伝暗号の冗長性によって可能になる、１つ以上の核酸残基が他の核酸残基によって置換されている配列番号１又は配列番号３の配列を含む単離核酸分子。
【請求項９】
非修飾分子と比較して修飾分子の生物学的特性に有意な影響を及ぼさずに１つ以上のヌクレオチドが付加、欠失又は置換された配列番号１又は配列番号３のヌクレオチド配列を含む単離核酸分子。
【請求項１０】
配列番号５及び配列番号６から選択された配列からなる単離核酸分子。
【請求項１１】
少なくとも２４ヌクレオチドのオリゴヌクレオチドであり、（ｉ）少なくとも８アミノ酸残基を含み、配列番号２の一部の連続アミノ酸配列をコードするオリゴヌクレオチド、（ｉｉ）ストリンジェントなハイブリダイゼーション条件下にて配列番号１のヌクレオチド配列にハイブリダイズし得るヌクレオチド配列、又は（ｉｉｉ）少なくとも７０％の同一性をもって、配列番号１に含まれるヌクレオチドに対応する連続配列と一定の同一性を示す、少なくとも連続する２４ヌクレオチド配列を有するオリゴヌクレオチド。
【請求項１２】
配列番号１に含まれる連続する３０ヌクレオチド配列を含む、請求項１１に記載のオリゴヌクレオチド。
【請求項１３】
請求項７〜１２のいずれか一項に記載の配列を含む核酸ベクター。
【請求項１４】
請求項１〜６のいずれか一項に記載の単離ポリペプチドを含む医薬組成物。
【請求項１５】
疾患又は障害が、免疫学的要素又は病因を有する疾患、感染性疾患、急性及び慢性炎症性疾患、癌、移植及び自己免疫性疾患、及び生殖能力に関連する疾患の群から選択される、請求項１４に記載の医薬組成物。
【請求項１６】
癌が副腎皮質癌；悪性メラノーマ；非メラノーマ皮膚癌；皮膚反応Ｔ細胞リンパ腫；カポジ肉腫；膀胱癌；結腸癌；結腸直腸癌；直腸癌；神経管外胚葉及び松果体癌；小児脳幹神経膠腫；小児小脳アストロチトーム；小児脳アストロチトーム；小児髄芽腫；小児視路グリオーマ；髄膜腫；混合性神経膠腫；乏突起膠腫；アストロチトーム；上衣細胞腫；下垂体腺腫；転移腺癌；聴神経腫；傍脊椎悪性奇形腫；乳癌；腺管癌腫；乳腺腫瘍；卵巣癌；カルチノイド腫瘍；子宮頚管癌；子宮癌；子宮内膜癌；膣癌；外陰癌；妊娠性栄養膜癌；卵管癌；子宮肉腫；白血病；リンパ腫（ホジキン病及び非ホジキン病）；神経芽細胞腫；網膜芽細胞腫；軟組織肉腫；ウィルムス腫瘍；ファンコーニ貧血；ランゲルハンス細胞組織球症；腎臓の悪性横紋筋様腫瘍；肝臓癌；神経芽細胞腫；網膜芽細胞腫；絨毛癌腫；内分泌癌；子宮内膜癌；食道癌；ユーイング肉腫；眼癌；消化管癌；胃腸癌；泌尿生殖器癌；神経膠腫；女性生殖器癌；頭頸部癌；肝細胞癌；下咽頭癌；膵島細胞癌；腎臓癌；喉頭癌；肺癌；リンパ腫；男性乳癌；メラノーマ；中皮腫；多発性骨髄腫；鼻咽頭癌；非メラノーマ皮膚癌；食道癌；骨肉腫；卵巣癌；膵臓癌；下垂体癌；前立腺癌；腎細胞癌腫；網膜芽細胞腫；横紋筋肉腫；肉腫；皮膚癌；扁平上皮細胞癌腫；胃癌；精巣癌；胸腺癌；甲状腺癌；移行細胞癌；栄養膜癌；子宮癌；急性リンパ性白血病；急性骨髄性白血病；腺様嚢胞癌腫；肛門癌；骨癌；腸癌；腺管癌腫；脂肪肉腫；神経芽細胞腫；腎芽腫及び骨肉腫を含む、請求項１５に記載の医薬組成物。
【請求項１７】
ＫＴＰＡＦ５０又はその一部をコードする核酸配列を伴う前記配列を含む物質との接触を含む、特定のヒトＤＮＡ及びｃＤＮＡ配列の特定方法。
【手続補正書】
【提出日】平成23年12月15日(2011.12.15)
【手続補正１】
【補正対象書類名】特許請求の範囲
【補正対象項目名】全文
【補正方法】変更
【補正の内容】
【特許請求の範囲】
【請求項１】
単一の区画内で増幅および検出される、同時および定量的に検出される標的核酸の数が６を超える、好ましくは７を超える、より好ましくは１０を超え、且つ、その際、捕捉プローブがプローブの構造により極めて近接に蛍光標識およびクエンチャーを有するプローブであり、アンプリコンが前記捕捉プローブとハイブリッド形成する場合にシグナルを検出し得る、捕捉プローブを使用した、増幅中に複数の標的核酸配列の同時リアルタイム定量的検出を行う方法。
【請求項２】
捕捉プローブが蛍光標識およびクエンチャーを有するプローブであり、かつアンプリコンが前記捕捉プローブとハイブリッド形成し、捕捉プローブの酵素加水分解を引き起こし、それによって前記クエンチャーを前記フルオロフォアから遊離させた場合にシグナルを検出し得る、請求項１記載の方法。
【請求項３】
捕捉プローブが蛍光標識およびクエンチャーを有する折り返しプローブであり、かつアンプリコンが前記捕捉プローブとハイブリッド形成し、それによって前記クエンチャーを前記フルオロフォアから遊離させた場合にシグナルを検出し得る、請求項１記載の方法。
【請求項４】
前記複数の核酸配列に相補的な表面固定されたオリゴヌクレオチドプローブが、前記複数の増幅された核酸配列に対する捕捉プローブとして働き、かつ
捕捉プローブに捕捉された前記複数の増幅された核酸配列の検出が、表面に近接したシグナルを検出する表面特異的検出法によって実施される、請求項１〜３のいずれか一項に記載の方法。
【請求項５】
表面に近接したシグナルの検出が、表面特異的検出システムおよび／または検出されるシグナルの表面特異的発生によって得られる、請求項４記載の方法。
【請求項６】
捕捉プローブが個々に同定可能なビーズに固定されている、請求項４または５に記載の方法。
【請求項７】
異なるビーズが異なる捕捉プローブを有する、請求項６記載の方法。
【請求項８】
前記ビーズが区画の表面に運ばれ、かつ、捕捉されたアンプリコンが、区画の前記表面に近接したシグナルを検出する表面特異的検出法によって測定される、請求項６または７に記載の方法。
【請求項９】
請求項１〜５のいずれか一項に記載の方法において、以下の
反応区画（該反応区画は前記複数の核酸配列に対する複数の捕捉プローブで被覆されている表面を含む）を有する装置を提供するステップと、
複数の標的核酸、および前記複数の標的核酸の増幅のための増幅プライマーを含む増幅混合物を区画に加えるステップと、
前記標的核酸の特定のセグメントが増幅され、それによってアンプリコンを生じさせる、増幅熱サイクリングを開始するステップとを含み、
増幅反応のアニーリング段階の間に、アンプリコンの再生可能な部分が捕捉プローブとハイブリッド形成し、かつ
前記捕捉プローブとハイブリッド形成されるアンプリコンが特異的かつ定量的に検出され、その際、検出されるそれぞれのシグナルは最初のそれぞれの標的核酸濃度を表し、かつそれによって、複数の標的核酸配列が定量的に検出される、請求項１〜５のいずれか一項に記載の方法。
【請求項１０】
捕捉プローブが、パターン化されたアレイのハイブリッド形成表面に配置される、請求項１〜５、および９のいずれか一項に記載の方法。
【請求項１１】
同じ標識がそれぞれの前記複数の標的核酸配列の検出に使用される、請求項１〜１０のいずれか一項に記載の方法。
【請求項１２】
内面が複数の標的核酸配列に対する捕捉プローブで被覆されている区画を含み、かつ、その際、捕捉プローブが標識され、そしてアンプリコンが前記捕捉プローブとハイブリッド形成する場合に、シグナルを検出し得る、請求項１〜５、および９〜１１のいずれか一項に記載の方法を実施する装置。
【請求項１３】
個々に同定可能なビーズ有する区画を含み、複数の標的核酸配列に対する捕捉プローブが前記の個々に同定可能なビーズに固定されている、請求項６〜８のいずれか一項に記載の方法を実施する装置。
【請求項１４】
装置が、区画の表面にビーズを運ぶための手段、および表面に結合しているこれらの標識は検出するが、溶液中にある標識は本質的に検出しない表面特異的検出器を更に含む、請求項１３に記載の装置。
【請求項１５】
捕捉プローブが蛍光標識およびクエンチャーを有するプローブであり、かつ、アプリコンが前記捕捉プローブとハイブリッド形成して、捕捉プローブの酵素加水分解を引き起こし、それによって前記クエンチャーを前記フルオロフォアから遊離させた場合に、シグナルを検出し得る、請求項１２〜１４のいずれか一項に記載の装置。
【請求項１６】
捕捉プローブが蛍光標識およびクエンチャーを有する折り返しプローブであり、かつアンプリコンが前記捕捉プローブとハイブリッド形成し、それによって前記クエンチャーを前記フルオロフォアから分離させた場合にシグナルを検出し得る、請求項１２〜１４のいずれか一項に記載の装置。
【請求項１７】
複数の標的核酸配列の同時定量分析のための、請求項１２〜１６のいずれか一項に記載の装置の使用。
【手続補正書】
【提出日】平成23年12月21日(2011.12.21)
【手続補正１】
【補正対象書類名】特許請求の範囲
【補正対象項目名】全文
【補正方法】変更
【補正の内容】
【特許請求の範囲】
【請求項１】
イソブタノールを産生する組換え微生物であって、
（ａ）ピルビン酸をイソブタノールに変換する経路を触媒する酵素をコードする異種遺伝子を少なくとも１つ含むイソブタノール産生代謝経路を発現するように、微生物を操作する工程と、
（ｂ）親微生物と比較して、ピルビン酸脱炭酸酵素（ＰＤＣ）活性が低下するように微生物を操作する工程と、
を含む方法によって得られる組換え微生物。
【請求項２】
前記組換え微生物は、少なくとも１つのピルビン酸脱炭酸酵素（ＰＤＣ）遺伝子に変異を含み、その結果、該遺伝子にコードされるポリペプチドのピルビン酸脱炭酸酵素活性が低下している、請求項１に記載の組換え微生物。
【請求項３】
前記組換え微生物は、ピルビン酸脱炭酸酵素（ＰＤＣ）遺伝子に部分的な欠失を含み、その結果、該遺伝子にコードされるポリペプチドのピルビン酸脱炭酸酵素活性が低下している、請求項１に記載の組換え微生物。
【請求項４】
前記組換え微生物は、ピルビン酸脱炭酸酵素（ＰＤＣ）遺伝子の完全な欠失を含み、その結果、該遺伝子にコードされるポリペプチドのピルビン酸脱炭酸酵素活性が低下している、請求項１に記載の組換え微生物。
【請求項５】
前記組換え微生物は、少なくとも１つのピルビン酸脱炭酸酵素（ＰＤＣ）遺伝子に関連した調節領域の改変を含み、その結果、該遺伝子にコードされるポリペプチドのピルビン酸脱炭酸酵素活性が低下している、請求項１に記載の組換え微生物。
【請求項６】
前記組換え微生物は、転写制御因子の改変を含み、その結果、ピルビン酸脱炭酸酵素（ＰＤＣ）遺伝子の転写が低下している、請求項１に記載の組換え微生物。
【請求項７】
前記組換え微生物は、すべてのピルビン酸脱炭酸酵素（ＰＤＣ）遺伝子に変異を含み、その結果、該遺伝子にコードされるポリペプチドのピルビン酸脱炭酸酵素活性が低下している、請求項１に記載の組換え微生物。
【請求項８】
前記組換え微生物は、ＰＤＣ活性を変化させることなく、親微生物の増殖速度と実質的に同じ増殖速度で、Ｃ２化合物とは無関係に、グルコース上で増殖するように、さらに操作されている、請求項１から７のいずれか１項に記載の組換え微生物。
【請求項９】
前記微生物がクラブトリー陰性酵母微生物である、請求項１から８のいずれか１項に記載の組換え微生物。
【請求項１０】
前記クラブトリー陰性酵母微生物が、クルイベロミセス属、ピキア属、イッサトケンキア属、ハンゼヌラ属、およびカンジダ属のうちの１つから選択される、請求項９に記載の組換え微生物。
【請求項１１】
前記クラブトリー陰性酵母微生物が、クルイベロミセス・ラクチス、クルイベロミセス・マルキシアヌス、ピキア・アノマラ、ピキア・スチピチス、Ｉ．オリエンタリス、Ｉ．オシデンタリス、Ｉ．スクツラタ、ハネンスラ．アノマラ、カンジダ・ウチリス、およびクルイベロミセス・ワルチイから選択される、請求項９に記載の組換え微生物。
【請求項１２】
前記微生物がサッカロミセス・クラデの酵母である、請求項１から８のいずれか１項に記載の組換え微生物。
【請求項１３】
前記微生物がサッカロミセス・センスストリクト酵母である、請求項１から８のいずれか１項に記載の組換え微生物。
【請求項１４】
前記サッカロミセス・センスストリクト酵母微生物が、Ｓ．セレビシエ、Ｓ．セレビシエ、Ｓ．クドリアブゼビイ、Ｓ．ミカタエ、Ｓ．バヤヌス、Ｓ．ウバルム、Ｓ．カロカニス、およびこれらの種のハイブリッドから選択される、請求項１３に記載の組換え微生物。
【請求項１５】
前記微生物がクラブトリー陽性酵母微生物である、請求項１から８のいずれか１項に記載の組換え微生物。
【請求項１６】
前記クラブトリー陽性酵母微生物が、サッカロミセス属、クルイベロミセス属、ジゴサッカロミセス属、デバリオミセス属、ピキア属、およびシゾサッカロミセス属のうちの１つから選択される、請求項１５に記載の組換え微生物。
【請求項１７】
前記クラブトリー陽性酵母微生物が、サッカロミセス・セレビシエ、サッカロミセス・ウバルム、サッカロミセス・バヤヌス、サッカロミセス・パラドキサス、サッカロミセス・カステリ、サッカロミセス・クルイベリ、クルイベロミセス・サーモトレランス、カンジダ・グラブラタ、Ｚ．バイリ、Ｚ．ロウキシイ、デバリオミセス・ハンセニイ、ピキア・パストリウス、シゾサッカロミセス・ポンベ、およびサッカロミセス・ウバルムから選択される、請求項１５に記載の組換え微生物。
【請求項１８】
前記微生物がＷＧＤ（全ゲノム重複）後酵母である、請求項１から８のいずれか１項に記載の組換え微生物。
【請求項１９】
前記ＷＧＤ（全ゲノム重複）後酵母が、サッカロミセス属、およびカンジダ属のうちの１つから選択される、請求項１８に記載の組換え微生物。
【請求項２０】
前記ＷＧＤ後酵母が、サッカロミセス・セレビシエ、サッカロミセス・ウバルム、サッカロミセス・バヤヌス、サッカロミセス・パラドキサス、サッカロミセス・カステリ、およびカンジダ・グラブラタから選択される、請求項１８に記載の組換え微生物。
【請求項２１】
前記微生物がＷＧＤ（全ゲノム重複）前酵母である、請求項１から８のいずれか１項に記載の組換え微生物。
【請求項２２】
前記ＷＧＤ前酵母が、サッカロミセス属、クルイベロミセス属、カンジダ属、ピキア属、デバリオミセス属、ハンゼヌラ属、イッサトケンキア属、ヤロウィア属、およびシゾサッカロミセス属のうちの１つから選択される、請求項２１に記載の組換え微生物。
【請求項２３】
前記ＷＧＤ前酵母が、サッカロミセス・クルイベリ、クルイベロミセス・サーモトレランス、クルイベロミセス・マルキシアヌス、クルイベロミセス・ワルチイ、クルイベロミセス・ラクチス、カンジダ・トロピカリス、ピキア・パストリス、ピキア・アノマラ、ピキア・スチピチス、デバリオミセス・ハンセニイ、Ｈ．アノマラ、Ｉ．オリエンタリス、Ｉ．オシデンタリス、Ｉ．スクツラタ、ヤロウィア・リポリチカ、およびシゾサッカロミセス・ポンベから選択される、請求項２１に記載の組換え微生物。
【請求項２４】
前記微生物が非発酵酵母微生物である、請求項１から８のいずれか１項に記載の組換え微生物。
【請求項２５】
前記非発酵酵母微生物が、トリコスポロン属、ロドトルラ属、およびミキソチマ属のうちの１つから選択される、請求項２４に記載の組換え微生物。
【請求項２６】
前記非発酵酵母微生物が、トリコスポロン・プルランス、ロドトルラ・リグノフィラ、ミキソチマ・バンデルワルチイ、カンジダ・エタノリカ、デバロミセス・カルソニイ、およびピキア・カスチラエから選択される、請求項２４に記載の組換え微生物。
【請求項２７】
前記微生物が、グリセロール−３−リン酸デヒドロゲナーゼ（ＧＰＤ）活性が低下するように、さらに操作されている、請求項１から２６のいずれか１項に記載の組換え微生物。
【請求項２８】
イソブタノールを産生する方法であって、
（ａ）請求項１から２７のいずれか１項に記載の組換え微生物を提供する工程と、
（ｂ）前記組換え微生物を、炭素原を提供する供給原料を含む培地で、回収可能な量のイソブタノールが産生されるまで培養する工程と、
（ｃ）前記イソブタノールを回収する工程と、
を含む方法。
【手続補正書】
【提出日】平成23年11月25日(2011.11.25)
【手続補正１】
【補正対象書類名】特許請求の範囲
【補正対象項目名】全文
【補正方法】変更
【補正の内容】
【特許請求の範囲】
【請求項１】
吸収性の第１の材料を含むベース構造と；
ベース構造に組込んだ複数のナノ構造を含む止血構造体であって；
ナノ構造が止血構造体を血液と接触させたときに止血を誘導するように構成されている前記止血構造体。
【請求項２】
ベース構造が第１の材料の織布又は不織布繊維を含む請求項１に記載の止血構造体。
【請求項３】
ナノ構造がベース構造を被覆している請求項１又は２に記載の止血構造体。
【請求項４】
第１の材料が綿、酸化セルロース、コラーゲン、又は生体由来材料を含む請求項１乃至３のいずれか一項に記載の止血構造体。
【請求項５】
ベース構造が第１の材料の織布又は不織布繊維を含む、請求項１乃至４のいずれか一項に記載の止血構造体であって、
第１の材料が天然繊維、合成繊維、又はガラスマイクロファイバーを含む、止血構造体。
【請求項６】
第１の材料が有機又は無機ポリマーを含む請求項１乃至３のいずれか一項に記載の止血構造体。
【請求項７】
止血構造体が包帯である請求項１乃至６のいずれか一項に記載の止血構造体。
【請求項８】
ベース構造が包帯である請求項１乃至７のいずれか一項に記載の止血構造体。
【請求項９】
ナノ構造を第１の材料に組込み、止血構造体を形成する段階を含む止血構造体の形成方法。
【請求項１０】
前記組込み段階がナノ構造を第１の材料の繊維織物に組込み、止血構造体を形成する段階を含む請求項９に記載の方法。
【請求項１１】
前記組込み段階が繊維織物をナノ構造で被覆し、止血構造体を形成する段階を含む請求項１０に記載の方法。
【請求項１２】
前記被覆段階が、
ナノ構造で被覆したウェーハを液体中で音波処理する段階と；
音波処理したナノ構造を濾過する段階と；
濾過したナノ構造を液体に懸濁し、ナノ構造懸濁液を形成する段階と；
繊維織物をナノ構造懸濁液に浸漬する段階と；
浸漬した繊維織物を乾燥する段階を含む請求項１１に記載の方法。
【請求項１３】
前記被覆段階が更に繊維織物を枠に装着する段階を含み；
前記浸漬段階が、枠に装着した繊維織物を浸漬する段階を含む請求項１２に記載の方法。
【請求項１４】
前記被覆段階が電荷吸引を使用して繊維織物をナノ構造で被覆する段階を含む請求項１２又は１３に記載の方法。
【請求項１５】
前記被覆段階が、
正荷電ポリマーを含有する溶液に繊維織物を浸漬し、繊維織物に正電荷を付与する段階と；
繊維織物を洗浄する段階と；
繊維織物を乾燥する段階と；
ナノ構造を含有する溶液を繊維織物に添加し、付与された正電荷によりナノ構造を繊維織物に吸引し、繊維織物を被覆する段階と；
被覆した繊維織物をインキュベートする段階と；
被覆した繊維織物を乾燥する段階を含む請求項１４に記載の方法。
【請求項１６】
材料と；
複数のナノ構造を含む止血剤であって；
前記材料とナノ構造が混合物を形成する前記止血剤。
【請求項１７】
伸縮性止血材料を複数のナノ構造と混合する段階を含む止血剤の形成方法。
【請求項１８】
複数のガラスビーズと；
複数のナノ構造を含む止血剤であって；
ガラスビーズとナノ構造を混合して混合物を形成する前記止血剤。
【請求項１９】
複数のガラスビーズを複数のナノ構造と混合する段階を含む止血剤の形成方法。
【請求項２０】
複数の止血粒子を含む止血剤であって；
各止血粒子が止血材料で被覆されたコア材料を含み；
コア材料の吸収速度が止血材料の吸収速度よりも大きい前記止血剤。
【請求項２１】
吸収性コア材料の粒子を止血材料で被覆することにより複数の止血粒子を形成する段階を含み；
コア材料の吸収速度が止血材料の吸収速度よりも大きい止血剤の形成方法。
【請求項２２】
包帯材料と；
外側酸化物薄層をもつナノ粒子から形成されるナノ粉末を含む止血包帯であって；
ナノ粉末が包帯材料に分散されている前記止血包帯。
【請求項２３】
外側酸化物薄層をもつナノ粒子から形成されるナノ粉末を包帯材料に分散させる段階を含む止血包帯の形成方法。
【請求項２４】
包帯材料と；
各々第１の長さをもつように形成された第１群のナノワイヤーと；
各々第２の長さをもつように形成された第２群のナノワイヤーを含む止血包帯であって、第２の長さが第１の長さよりも長く；
第１群のナノワイヤーが包帯材料の第１の領域に分散されており、第２群のナノワイヤーが包帯材料の第２の領域に分散されている止血包帯。
【請求項２５】
基部と、基部の第１の表面の第１の端部から第１の角度で延びる第１の脚部と、基部の第１の表面の第２の端部から第２の角度で延びる第２の脚部をもつ本体と；
本体の少なくとも一部を被覆するナノ構造層
を含む外科用ステープル。